(57)【要約】【課題】建築用木材の材軸方向に働く軸力を、連結した建築要素へと極めて良好に伝達することができる建築用木材の連結構造を提供すること。【解決手段】建築用木材１の端部に軸力伝達金具２を設け、他の建築要素３に連結金具４を設け、この軸力伝達金具２と連結金具４とを重合止め連結して建築用木材１と建築要素３とを連結し、軸力伝達金具２は、建築用木材１の端部に建築用木材１の軸方向に沿って形成されたホゾ穴５に挿入した後ドリフトピン６を交差貫通して抜け止め係止するホゾ部７を、建築用木材１の端部に当接する端部当接プレート８の内側に突設した構成とすると共に、この端部当接プレート８の外側に、連結金具４の連結板部９に重合止めする重合連結板部10を突設した構成とした建築用木材の連結構造。【選択図】図１
2014047599.tif 000002
【特許請求の範囲】
【請求項１】
長尺な建築用木材の端部に軸力伝達金具を設け、他の木材や建築用基礎などの建築要素に連結金具を設け、この軸力伝達金具と連結金具とを重合止め連結して前記建築用木材と前記建築要素とを連結する建築用木材の連結構造であって、前記建築用木材の端部に設ける前記軸力伝達金具は、この建築用木材の端部に建築用木材の軸方向に沿って形成されたホゾ穴に挿入した後ドリフトピンを交差貫通して抜け止め係止するホゾ部を、前記建築用木材の端部に当接する端部当接プレートの内側に突設した構成とすると共に、この端部当接プレートの外側に、前記連結金具の連結板部に重合止めする重合連結板部を突設した構成としたことを特徴とする建築用木材の連結構造。
【請求項２】
前記軸力伝達金具は、前記建築用木材の端部の木口に当接する前記端部当接プレートの内側板面に、この内側板面に対して直角に前記ホゾ部を突設した構成とすると共に、この端部当接プレートの外側板面に、この外側板面に対して直角に前記重合連結板部を突設した構成としたことを特徴とする請求項１記載の建築用木材の連結構造。
【請求項３】
前記連結金具は、前記建築要素に埋め込まれる埋め込み部と、この埋め込み部を建築要素に埋め込んだ際に建築要素の外側に突設される前記連結板部とから成る構成としたことを特徴とする請求項１，２のいずれか１項に記載の建築用木材の連結構造。
【請求項４】
前記連結金具は、前記建築要素に形成した埋め込み穴に挿入して埋め込まれる埋め込み部を、前記建築要素の周面部に当接する周面部当接プレートの内側に突設した構成とすると共に、この周面部当接プレートの外側に、前記軸力伝達金具の重合連結板部を重合止めする前記連結板部を突設した構成としたことを特徴とする請求項１〜３のいずれか１項に記載の建築用木材の連結構造。
【請求項５】
前記建築用木材に、前記ドリフトピンを挿通する挿通孔を前記ホゾ穴と連通状態にして形成し、この挿通孔から挿通する前記ドリフトピンを交差貫通する貫通係止孔を前記軸力伝達金具の前記ホゾ部に形成し、この挿通孔と貫通係止孔とを、前記ホゾ穴に前記ホゾ部を挿入した際に連通状態にして且つ位置ズレ状態に設けて、前記ホゾ穴に前記ホゾ部を挿入した後、この貫通係止孔に前記挿通孔から挿通したドリフトピンを交差貫通させると、前記軸力伝達金具が前記建築用木材側へ引き寄せられて前記端部当接プレートの内側板面が建築用木材の端部に圧接当接するように、前記挿通孔と、前記貫通係止孔との位置ズレ度を設定したことを特徴とする請求項１〜４のいずれか１項に記載の建築用木材の連結構造。
【発明の詳細な説明】
【技術分野】
【０００１】
本発明は、長尺な建築用木材と他の木材や建築用基礎などの建築要素とを連結する建築用木材の連結構造に関するものである。
【背景技術】
【０００２】
木造軸組工法においては、柱などの縦材と梁などの横材とで形成される矩形枠構造の対角位置に筋違材を架設固定したり、縦材と横材との間に斜材（トラス材）を架設固定したりすることによって矩形枠構造を補強し変形を防止している。
【０００３】
また、この筋違材や斜材などの補強用木材の、矩形枠構造への固定方法は、縦材や横材の側面に補強用木材の端部を嵌合させる切り込みを形成し、この切り込みに補強用木材の端部を嵌合させた上で釘打ちなどにより固定している。
【０００４】
しかしながら、木造建築の場合、補強用木材を釘止めなどの比較的簡単な方向で固定すると、補強用木材に引張力が働いた時に付け根がはずれてしまう危険性がある。
【０００５】
そこで近年は、金物を用いて補強用木材を縦材や横材に確固に固定する方法が主流となってきている（例えば、特許文献１参照。）。
【先行技術文献】
【特許文献】
【０００６】
【特許文献１】意匠登録第１０６４３９１号公報
【発明の概要】
【発明が解決しようとする課題】
【０００７】
本発明は、上記特許文献１のような、筋違材やトラス材などの建築用木材と、他の木材や建築用基礎などの建築要素とを金物を用いて確固に連結しようとするものの改良であって、建築用木材と建築要素とを極めて確固に連結できて高強度な軸組を構築可能となる建築用木材の連結構造を提供するものである。
【課題を解決するための手段】
【０００８】
添付図面を参照して本発明の要旨を説明する。
【０００９】
長尺な建築用木材１の端部に軸力伝達金具２を設け、他の木材３Ａや建築用基礎３Ｂなどの建築要素３に連結金具４を設け、この軸力伝達金具２と連結金具４とを重合止め連結して前記建築用木材１と前記建築要素３とを連結する建築用木材の連結構造であって、前記建築用木材１の端部に設ける前記軸力伝達金具２は、この建築用木材１の端部に建築用木材１の軸方向に沿って形成されたホゾ穴５に挿入した後ドリフトピン６を交差貫通して抜け止め係止するホゾ部７を、前記建築用木材１の端部に当接する端部当接プレート８の内側に突設した構成とすると共に、この端部当接プレート８の外側に、前記連結金具４の連結板部９に重合止めする重合連結板部10を突設した構成としたことを特徴とする建築用木材の連結構造に係るものである。
【００１０】
また、前記軸力伝達金具２は、前記建築用木材１の端部の木口11に当接する前記端部当接プレート８の内側板面に、この内側板面に対して直角に前記ホゾ部７を突設した構成とすると共に、この端部当接プレート８の外側板面に、この外側板面に対して直角に前記重合連結板部10を突設した構成としたことを特徴とする請求項１記載の建築用木材の連結構造に係るものである。
【００１１】
また、前記連結金具４は、前記建築要素３に埋め込まれる埋め込み部12と、この埋め込み部12を建築要素３に埋め込んだ際に建築要素３の外側に突設される前記連結板部９とから成る構成としたことを特徴とする請求項１，２のいずれか１項に記載の建築用木材の連結構造に係るものである。
【００１２】
また、前記連結金具４は、前記建築要素３に形成した埋め込み穴13に挿入して埋め込まれる埋め込み部12を、前記建築要素３の周面部に当接する周面部当接プレート14の内側に突設した構成とすると共に、この周面部当接プレート14の外側に、前記軸力伝達金具２の重合連結板部10を重合止めする前記連結板部９を突設した構成としたことを特徴とする請求項１〜３のいずれか１項に記載の建築用木材の連結構造に係るものである。
【００１３】
また、前記建築用木材１に、前記ドリフトピン６を挿通する挿通孔15を前記ホゾ穴５と連通状態にして形成し、この挿通孔15から挿通する前記ドリフトピン６を交差貫通する貫通係止孔16を前記軸力伝達金具２の前記ホゾ部７に形成し、この挿通孔15と貫通係止孔16とを、前記ホゾ穴５に前記ホゾ部７を挿入した際に連通状態にして且つ位置ズレ状態に設けて、前記ホゾ穴５に前記ホゾ部７を挿入した後、この貫通係止孔16に前記挿通孔15から挿通したドリフトピン６を交差貫通させると、前記軸力伝達金具２が前記建築用木材１側へ引き寄せられて前記端部当接プレート８の内側板面が建築用木材１の端部に圧接当接するように、前記挿通孔15と、前記貫通係止孔16との位置ズレ度を設定したことを特徴とする請求項１〜４のいずれか１項に記載の建築用木材の連結構造に係るものである。
【発明の効果】
【００１４】
本発明は上述のように構成したから、建物に対して地震などによる外力が加わった際に、建築用木材の材軸方向に働く軸力を、軸力伝達金具と連結金具を介して建築要素へと良好に伝達して軸組の変形を抑制することができる極めて実用性に優れた建築用木材の連結構造となる。
【００１５】
また、請求項２記載の発明においては、建築用木材の材軸方向に働く軸力を端部当接プレート若しくはドリフトピンにより建築用木材のホゾ穴に抜け止め係止されるホゾ部で支持して重合連結板部から確実に連結金具・建築要素へと伝達することができる軸力伝達金具を、簡易構成により容易に設計実現可能となる一層実用性に優れた構成の建築用木材の連結構造となる。
【００１６】
また、請求項３，４記載の発明においては、建築要素に強固な位置決め状態で設けられる連結金具を簡易に設計実現可能となり、この強固に位置決められた連結金具を介して建築用木材の材軸方向に働く軸力を、建築要素へと確実に伝達することができる一層実用性に優れた構成の建築用木材の連結構造となり、特に請求項４記載の発明においては、連結金具に伝達される建築用木材の軸力が、連結金具の周面部当接プレートを介して建築要素の周面へと一層良好に伝達されることになる。
【００１７】
また、請求項５記載の発明においては、ドリフトピンの交差貫通によって軸力伝達金具の端部当接プレートが建築用木材の端部に圧接当接するので、建築用木材の端部に対して軸力伝達金具がガタつくことがなく、この軸力伝達金具を介して建築用木材の材軸方向に働く軸力が直接的に連結金具・建築要素へと伝達されることになる一層実用性に優れた構成の建築用木材の連結構造となる。
【図面の簡単な説明】
【００１８】
【図１】実施例１を示す概略説明正面図である。
【図２】実施例１の軸力伝達金具のトラス材（建築用木材）への取付構造を示す拡大説明分解斜視図である。
【図３】実施例１のドリフトピンによる軸力伝達金具の建築用木材への引き寄せ取付構造を示す拡大説明図である。
【図４】実施例１の連結金具の、梁材（建築要素）への取付構造を示す拡大説明分解斜視図である。
【図５】実施例１の軸力伝達金具と、梁材に設けた連結金具との連結構造を示す拡大説明分解斜視図である。
【図６】実施例１の連結金具の、柱材（建築要素）への取付構造を示す拡大説明分解斜視図である。
【図７】実施例１の軸力伝達金具と、柱材に設けた連結金具との連結構造を示す拡大説明分解斜視図である。
【図８】実施例２を示す概略説明正面図である。
【図９】実施例２の連結金具の、柱材（建築要素）と建築用基礎（建築要素）への取付構造を示す拡大説明分解斜視図である。
【図１０】実施例２の軸力伝達金具と、柱材と建築用基礎とに設けた連結金具との連結構造を示す拡大説明分解斜視図である。
【図１１】実施例３を示す概略説明正面図である。
【図１２】実施例３の方杖（建築用木材）の端部に設けた軸力伝達金具と、真束（建築要素）に設けた連結金具との連結構造を示す拡大説明正面図である。
【図１３】実施例３の方杖（建築用木材）の端部に設けた軸力伝達金具と、合掌梁（建築要素）に設けた連結金具との連結構造を示す拡大説明正面図である。
【図１４】実施例４を示す概略説明平面図並びに概略説明正面図である。
【図１５】実施例４の建築用木材の端部に設けた軸力伝達金具と、梁材（建築要素）に設けた連結金具との連結構造、並び連結金具の、梁材（建築要素）への取付構造を示す拡大説明正面図である。
【発明を実施するための形態】
【００１９】
好適と考える本発明の実施形態を、図面に基づいて本発明の作用を示して簡単に説明する。
【００２０】
長尺な建築用木材１の端部のホゾ穴５に、軸力伝達金具２のホゾ部７を挿入した後ドリフトピン６を交差貫通してホゾ部７を抜け止め係止すると、建築用木材１の端部に軸力伝達金具２が設けられると共に、建築用木材１の端部に当接する端部当接プレート８の外側に重合連結板部10が突設することになる。
【００２１】
この軸力伝達金具２の重合連結板部10を、他の木材３Ａや建築用基礎３Ｂなどの建築要素３に設けた連結金具４の連結板部９に重合止め連結することにより、建築用木材１と前記建築要素３とを強固に連結することができる。
【００２２】
例えば、本発明の建築用木材の連結構造を木造軸組工法の矩形枠構造Ｗに組み入れると、建物に地震などによる外力が加わることによって建築用木材１の材軸方向に力が働いた際（建築用木材１がその材軸方向に動こうとした際）に、この材軸方向に働く軸力が軸力伝達金具２に伝達され、この軸力伝達金具２から連結金具４を介して建築要素３へと伝達されることになる。
【００２３】
具体的には、建築用木材１に、この建築用木材１を前記建築要素３に対して引っ張ろうとする軸力（引張軸力）が働くと、軸力伝達金具２は、そのホゾ部７が建築用木材１の軸方向に沿って形成されたホゾ穴５に挿入されて、交差貫通するドリフトピン６によって抜け止め係止しているため、この引張軸力が直交貫通するドリフトピン６を介してホゾ部７（軸力伝達金具２）へと良好に伝達されることになる。
【００２４】
また、建築用木材１に、この建築用木材１を前記建築要素３の方向に圧縮しようとする軸力（圧縮軸力）が働くと、軸力伝達金具２の端部当接プレート８に建築用木材１の端部が当接して、この圧縮軸力が端部当接プレート８（軸力伝達金具２）へと良好に伝達されることになる。
【００２５】
そして、このようにして軸力伝達金具２に伝達された前記軸力（引張軸力若しくは圧縮軸力）は、軸力伝達金具２の重合連結板部10から連結金具４の連結板部９に伝達されるが、この際、重合止め連結されている重合連結板部10と連結板部９との摩擦接合により、重合連結板部10と連結板部９との重合板面全体で前記軸力が良好に伝達されることになる。
【００２６】
従って、建物に加わる何らかの外力によって建築用木材１の材軸方向に働く軸力が、軸力伝達金具２，連結金具４を介して建築要素３へと良好に伝達されることになるので、例えば、建築用木材１を筋違材やトラス材などの補強材として軸組の矩形枠構造Ｗの建築要素３に連結すれば、この建築用木材１に働く軸力を柱や梁などの他の建築要素３に対して良好に伝達させてこの軸力を建築要素３で支持することができ、この建築用木材１による補強作用が十分に発揮されて矩形枠構造Ｗの変形が抑制されることになる。
【実施例１】
【００２７】
本発明の具体的な実施例１について図１〜図７に基づいて説明する。
【００２８】
本実施例は、建築用の基礎３Ｂと、この建築用基礎３Ｂ上に固定した柱脚金具17に連結した二本の木材３Ａ（柱材）と、この二本の木材３Ａの上端部に直交連結した木材３Ａ（梁材）とから成る矩形枠構造Ｗ内に、長尺な建築用木材１を斜設状態に設けたトラス構造を示している。尚、図面は、建築用基礎３Ｂ上に直接柱脚金具17を固定して矩形枠構造Ｗを構成した場合を示したが、建築用基礎３Ｂ上に木土台を設置し、この木土台上に柱脚金具17を固定して矩形枠構造Ｗを構成しても良い。図中符号18はアンカーボルトである。
【００２９】
具体的には、建築用木材１の端部に軸力伝達金具２を設け、他の建築要素３としての木材３Ａと建築用基礎３Ｂとに連結金具４を設け、この軸力伝達金具２と連結金具４とを重合止め連結することによって前記建築用木材１と前記建築要素３とを連結する構成としている。
【００３０】
本実施例の建築用木材１は、角棒状とし、両端部の木口11（建築用木材１の端面）の中心部に、建築用木材１の軸方向に沿った穴長を有する丸穴形状のホゾ穴５を所定長（所定深さ）穿設した構成として、このホゾ穴５に後述する軸力伝達金具２のホゾ部７を挿入し得るようにしている。
【００３１】
また、このホゾ穴５と連通状態にして、建築用木材１の長さ方向と直交する方向に建築用木材１を貫通する小径丸孔形状の挿通孔15を複数（図面では三箇所）穿設して、この各挿通孔15に建築用木材１の側方からドリフトピン６を挿通し得るようにしている。
【００３２】
更にこの複数の挿通孔15は、一つ以上を他の挿通孔15に対して直交状態に設けて、複数のドリフトピン６を直交状態に挿通し得るように構成している。
【００３３】
即ち、本実施例の建築用木材１は、両端部の木口11の中心部に前記ホゾ穴５が開口し、両端部付近の周面部の対向位置に前記挿通孔15が複数開口する構成としている。
【００３４】
この建築用木材１のホゾ穴５及び挿通孔15はプレカットすることが好ましい。
【００３５】
本実施例の軸力伝達金具２は、建築用木材１端部の前記ホゾ穴５に挿入した後ドリフトピン６を交差貫通して抜け止め係止するホゾ部７を、前記建築用木材１の端部に当接する端部当接プレート８の内側に突設した構成とすると共に、この端部当接プレート８の外側に、前記連結金具４の連結板部９に重合止めする重合連結板部10を突設した構成としている。
【００３６】
更に詳しくは、前記端部当接プレート８は、図２，図５に示すように、前記建築用木材１の端部の木口11形状よりやや小形な方形状の金属板で構成して、この端部当接プレート８の板面の全面が木口11に面接当接するようにしている。
【００３７】
この端部当接プレート８の内側に突設する前記ホゾ部７は、図２に示すように、前記ホゾ穴５の穴長よりやや短い金属製丸パイプで構成し、このホゾ部７の中ほどより端部側に、前記挿通孔15から挿通する前記ドリフトピン６を交差貫通する貫通係止孔16を複数貫通形成している。
【００３８】
また、この複数の貫通係止孔16は、前記建築用木材１に設ける挿通孔15と同様に、一つ以上を他の貫通係止孔16に対して直交状態に設けて、複数のドリフトピン６を直交状態に挿通し得るように構成している。
【００３９】
また、このホゾ部７の前記端部当接プレート８への取付構造は、端部当接プレート８の中心部に図示省略の貫通孔を形成し、この貫通孔にホゾ部７の基端部７Ａを挿通してこの基端部７Ａを端部当接プレート８の外側へやや突出させた状態で、この貫通孔に対しホゾ部７の基端部７Ａを溶接固定して一体化すると共に、このホゾ部７を端部当接プレート８の内側板面に対して直角に突設させた構造としている。
【００４０】
端部当接プレート８の外側に突設する前記重合連結板部10は、図２に示すように、先細形状の二枚の金属板（側面視略三角形状の金属板）で構成し、この二枚の金属板を小間隔を置いて平行並設状態に突設して、この二枚の重合連結板部10間に後述する連結金具４の連結板部９を挟み込み重合し得るように構成している。
【００４１】
また、この二枚の重合連結板部10には、その並設方向に貫通するボルト孔19を形成して、このボルト孔19に後述する連結ボルト27を挿通し得るように構成している。
【００４２】
また、この二枚の重合連結板部10の前記端部当接プレート８への取付構造は、各重合連結板部10の基端部に、この基端部を端部当接プレート８の外側板面に当接した際にこの外側板面に突設する前記ホゾ部７の基端部７Ａを避ける切欠20を設け、この切欠20を除く各重合連結板部10の基端部を端部当接プレート８の外側板面に溶接固定すると共に、切欠20をホゾ部７の基端部７Ａに溶接固定して、端部当接プレート８の外側板面に、この外側板面に対して直角に重合連結板部10を突設した構造としている。このように構成したことにより、重合連結板部10が端部当接プレート８並びにホゾ部７（の基端部７Ａ）と高強度に一体化した軸力伝達金具２となる。
【００４３】
また、この軸力伝達金具２の前記建築用木材１の端部への取付構造は、前記ホゾ部７を前記ホゾ穴５に挿入して複数の前記貫通係止孔16を複数の前記挿通孔15と連通させ、この連通する各貫通係止孔16と各挿通孔15とに建築用木材１の側方からドリフトピン６を打ち込んで挿通させると、この各貫通係止孔16を介してホゾ部７に交差貫通するドリフトピン６によりホゾ部７がホゾ穴５に抜け止め係止する（軸力伝達金具２が建築用木材１の端部に固定される）構造としている。
【００４４】
また、図３に示すように、この挿通孔15と貫通係止孔16とは、前記ホゾ穴５に前記ホゾ部７を挿入した際に連通状態にして且つ位置ズレ状態に設け、前記ホゾ穴５に前記ホゾ部７を挿入した後、この貫通係止孔16に前記挿通孔15から挿通したドリフトピン６を交差貫通させると、前記軸力伝達金具２が前記建築用木材１側へ引き寄せられて前記端部当接プレート８の内側板面が建築用木材１の端部に圧接当接するように、前記挿通孔15と、前記貫通係止孔16との位置ズレ度を設定している。
【００４５】
即ち、ドリフトピン６を打ち込むことによって建築用木材１の端部に軸力伝達金具２がガタつきなく固定される構成とし、これにより建築用木材１にその材軸方向の力が働くと、その軸力が直接的に軸力伝達金具２に伝達される構成としている。
【００４６】
本実施例の連結金具４は、他の木材３Ａ（建築要素３）としての横材（梁材など）の周面部に設ける横材連結金具４Ａと、他の木材３Ａ（建築要素３）としての縦材（柱材など）の周面部に設ける縦材連結金具４Ｂと、建築要素３としての建築用基礎３Ｂの上面に設ける基礎連結金具４Ｃの３タイプを図示している。
【００４７】
本実施例の横材連結金具４Ａについて説明すると、前記建築要素３に形成した埋め込み穴13に挿入して埋め込まれる埋め込み部12を、前記建築要素３の周面部に当接する周面部当接プレート14の内側に突設した構成とすると共に、この周面部当接プレート14の外側に、前記軸力伝達金具２の重合連結板部10を重合止めする連結板部９を突設した構成としている。
【００４８】
具体的には、前記周面部当接プレート14は、図４に示すように、他の木材３Ａ（横材）の長さ方向に沿った長さを有する長方形状の金属板で構成して、この周面部当接プレート14の板面の全面が横材３Ａの周面（図面では下面）に面接当接し得るようにしている。
【００４９】
この周面部当接プレート14の内側に突設する前記埋め込み部12は、図４に示すように、高強度な無垢の金属製丸棒で構成し、この埋め込み部12を周面部当接プレート14に複数突設している。更に詳しくは、埋め込み部12は、周面部当接プレート14の長さ方向の両端部付近の二箇所に突設している。尚、この埋め込み部12は、高強度を有するパイプ材で構成しても良い。
【００５０】
また、この埋め込み部12は、その長さ方向の両端部付近に、ドリフトピン６を交差貫通するピン係止孔21を、この埋め込み部12の長さ方向と直交する方向に複数貫通形成している。
【００５１】
この埋め込み部12の前記周面部当接プレート14への取付構造は、周面部当接プレート14の長さ方向の両端部付近に図示省略の貫通孔を形成し、この各貫通孔に埋め込み部12の基端部12Ａを挿通してこの基端部12Ａを周面部当接プレート14の外側へやや突出させた状態で、この貫通孔に対し各埋め込み部12の基端部12Ａを溶接固定して一体化すると共に、この埋め込み部12は、周面部当接プレート14の内側板面に対して直角に突設させた構造としている。
【００５２】
この周面部当接プレート14の外側に突設する前記連結板部９は、図４に示すように、側面視略台形状の金属板で構成し、この連結板部９を、前記二枚の重合連結板部10間に挿入して挟み込み重合し得るように構成している。
【００５３】
また、この連結板部９の両端部付近には、前記ボルト孔19に連通させるボルト通し孔22を形成して、この各ボルト通し孔22に後述する連結ボルト27を挿通し得るように構成している。
【００５４】
また、この連結板部９の前記周面部当接プレート14への取付構造は、連結板部９の基端部の両端部付近に、この基端部を周面部当接プレート14の外側板面に当接した際にこの外側板面に突設する複数の前記埋め込み部12の基端部12Ａを避ける避け凹部23を切欠形成し、この各避け凹部23を除く連結板部９の基端部を周面部当接プレート14の外側板面に溶接固定すると共に、各避け凹部23を埋め込み部12の基端部12Ａに溶接固定して、周面部当接プレート12の外側板面に、この外側板面に対して直角に連結板部９を突設した構造としている。
【００５５】
また、この連結板部９の両側の板面の中間部と、周面部当接プレート14の外側板面とに補強板24を溶接固定して、連結板部９が簡単に変形することなく高強度を発揮するように構成している。
【００５６】
本実施例の縦材連結金具４Ｂについて説明すると、前記横材連結金具４Ａと同等の構成を具備しているが、横材連結金具４Ａより更に長さを有する構成としている。
【００５７】
即ち、図６に示すように、周面部当接プレート14を横材連結金具４Ａのそれより長さのある長方形板とし、連結板部10もこの周面部当接プレート14と同等の長さを有する形状に形成している。
【００５８】
また、周面部当接プレート14を長くしたことに伴い、前記埋め込み部12を一本増やして三本突設した構成とすると共に、連結板部10を長くしたことに伴い、前記補強板24を片側二枚ずつに増やした構成としている。
【００５９】
ここで、横材連結金具４Ａ及び縦材連結金具４Ｂが設けられる他の木材３Ａについて説明すると、いずれも角棒状であって、この木材３Ａの長さ方向の途中の周面部の複数箇所に、この木材３Ａの軸方向と直交する方向に添った穴長を有する丸穴形状の埋め込み穴13を所定長穿設した構成として、この埋め込み穴13に前記埋め込み部12を挿入し得るようにしている。また、この埋め込み穴13は、横材連結金具４Ａ及び縦材連結金具４Ｂに突設される埋め込み部12の本数に応じた数（梁材３Ａは二箇所，柱材３Ａは三箇所）が設けられる。
【００６０】
また、この埋め込み穴13と連通状態にして、木材３Ａの長さ方向と直交する方向に木材３Ａを貫通する小径丸孔形状のピン挿通孔25を、前記埋め込み穴13に挿入される前記埋め込み部12の前記ピン係止孔21に対応させて複数穿設し、この各ピン挿通孔25に木材３Ａの側方からドリフトピン６を挿通し得るようにしている。
【００６１】
即ち、本実施例の他の木材３Ａ（梁材３Ａ並びに柱材３Ａ）は、前記矩形枠構造Ｗの内側に存する途中部の周面部の、前記矩形枠構造Ｗの内側に存する面に前記埋め込み穴13が複数開口し、この埋め込み穴13が存する面に隣接する対向面に前記ピン挿通孔25が複数開口する構成としている。
【００６２】
この他の木材３Ａの埋め込み穴13及びピン挿通孔25はプレカットすることが好ましい。
【００６３】
また、この横材連結金具４Ａ及び縦材連結金具４Ｂの他の木材３Ａの周面部への取付構造は、前記埋め込み部12を前記埋め込み穴13に挿入してピン係止孔21をピン挿通孔25と連通させ、この連通するピン係止孔21とピン挿通孔25とに木材３Ａの側方からドリフトピン６を打ち込んで挿通させると、このピン係止孔21を介して埋め込み部12に交差貫通するドリフトピン６により埋め込み部12が埋め込み穴13に抜け止め係止する（横材連結金具４Ａ及び縦材連結金具４Ｂが木材３Ａの周面部に固定される）構造としている。
【００６４】
このように構成した本実施例の横材連結金具４Ａと縦材連結金具４Ｂは、周面部当接プレート14と一体化させた高強度の埋め込み部12を木材３Ａの軸方向と直交する方向に挿通して埋め込むから、建物に地震などによる外力が加わることによってこの横材連結金具４Ａ及び縦材連結金具４Ｂと木材３Ａとの間にせん断力が生じると、木材３Ａの材軸方向と直交する方向に沿って形成された埋め込み穴13に挿入して位置決められている埋め込み部12が前記せん断力を支持して位置ズレに強固に抵抗することになるので、この横材連結金具４Ａと縦材連結金具４Ｂの木材３Ａに対する位置ズレが防止されることになる。
【００６５】
また、本実施例の基礎連結金具４Ｃについて説明すると、建築用基礎３Ｂに埋め込まれているアンカーボルト18を前記埋め込み部12として機能させるものである。建築用基礎３Ｂの上面部に当接する上面部当接プレート26に前記埋め込み部12としてのアンカーボルト18を挿通止めする図示省略の取付穴を貫通形成し、この上面部当接プレート26の外側板面に前記横材連結金具４Ａのそれと同等の構成の連結板部９を突設した構成としている。
【００６６】
本実施例では、前記横材連結金具４Ａを前記矩形枠構造Ｗの梁材３Ａの中間位置の周面部（下面）に設け、前記縦材連結金具４Ｂを矩形枠構造Ｗの左右の柱材３Ａの中間位置の周面部（左右に隣接する柱材３Ａの対向内側面）に設け、前記基礎連結金具４Ｃを矩形枠構造Ｗの建築用基礎３Ｂの中間位置の上面部に設けて、横材連結金具４Ａと左右の縦材連結金具４Ｂとの間に前記建築用木材１を架設状態に連結すると共に、左右の縦材連結金具４Ｂと基礎連結金具４Ｃとの間に前記建築用木材１を架設状態に連結したトラス構造を構成した場合を示している（図１参照。）。
【００６７】
また、本実施例の建築用木材１の端部に設けた軸力伝達金具２と、建築要素３に設けた連結金具４との連結構造は、軸力伝達金具２の前記二枚の重合連結板部10間に連結金具４の前記連結板部９を挟み込み重合して各重合連結板部10の前記ボルト孔19と連結板部９の前記ボルト通し孔22とを連通させ、この連通するボルト孔19とボルト通し孔22とに連結ボルト27を挿通し、連結ボルト27先端にナット28を螺着して締付することにより摩擦接合する構成としている（図５，図７参照。）。
【００６８】
この本実施例の連結構造を用いて構成したトラス構造によれば、建物に地震などによる外力が加わると、梁材３Ａを水平方向に動かそうとする力が働いてこの梁材３Ａの周面部に対して横材連結金具４Ａを位置ズレさせようとするせん断力が生じるが、横材連結金具４Ａの埋め込み部12が梁材３Ａの埋め込み穴13に位置決められていることによってこの埋め込み部12が前記せん断力を強固に支持して位置ズレに強固に抵抗することになる。
【００６９】
そして、この位置ズレしない横材連結金具４Ａの前記連結板部９から、矩形枠構造Ｗの上方に存する建築用木材１の一端部に設けられた軸力伝達金具２の重合連結板部10へと、即ち軸力伝達金具２が設けられた建築用木材１へと前記せん断力が伝達されて、このせん断力が建築用木材１をその材軸方向へ動かそうとする軸力（引張軸力若しくは圧縮軸力）に変化することになる。
【００７０】
更にこの建築用木材１に働く軸力は、建築用木材１の他端部に設けた軸力伝達金具２の重合連結板部10から、柱材３Ａの周面部に設けられた縦材連結金具４Ｂの連結板部９へと、即ち縦材連結金具４Ｂが設けられた柱材３Ａへと伝達されて、この軸力が縦材連結金具４Ｂを柱材３Ａの周面部に対して位置ズレさせようとするせん断力に変化するが、縦材連結金具４Ｂの埋め込み部12が柱材３Ａの埋め込み穴13に位置決められていることによってこの埋め込み部12が前記せん断力を強固に支持して位置ズレに強固に抵抗することになるので、このせん断力が柱材３Ａによって支持されることになる。
【００７１】
また、地震などの外力により、梁材３Ａを水平方向に動かそうとする力が働くと、これに連動して柱材３Ａが傾こうとする力が働いて、柱材３Ａの周面部に対して縦材連結金具４Ｂを位置ズレさせようとするせん断力が生じるが、縦材連結金具４Ｂは前記したように柱材３Ａに対して位置ズレしないから、このせん断力が矩形枠構造Ｗの下方に存する建築用木材１の軸力へと変化してこの軸力が基礎連結金具４Ｃ、即ちこの基礎連結金具４Ｃが設けられた建築用基礎３Ｂへと伝達され、更にこの軸力が基礎連結金具４Ｃを建築用基礎３Ｂの上面部に対して位置ズレさせようとするせん断力に変化するが、基礎連結金具４Ｃの埋め込み部12（アンカーボルト18）が建築用基礎３Ｂに埋設固定されて位置決められていることによってこの埋め込み部12が前記せん断力を強固に支持して位置ズレに強固に抵抗することになるので、このせん断力が建築用基礎３Ｂによって支持されることになる。
【００７２】
このようにせん断力や軸力が建築要素３と建築用木材１との間で良好に伝達されることにより、各建築用木材１による補強作用が十分に発揮されて矩形枠構造Ｗの変形が抑制されることになる。
【実施例２】
【００７３】
本発明の具体的な実施例２について図８〜図１０に基づいて説明する。
【００７４】
本実施例は、前記実施例１における柱脚金具17を連結金具４（柱脚部連結金具４Ｄ）に改造し、この左右の柱脚部連結金具４Ｄと梁材３Ａに設けた前記横材連結金具４Ａとの間に、長尺な建築用木材１をトラス材として連結した場合である。
【００７５】
本実施例の柱脚連結金具４Ｄは、アンカーボルト18により建築用基礎３Ｂに固定されるベース部29の上部に柱材３Ａに埋め込まれるプレート状の前記埋め込み部12を立設状態に突設した構成とすると共に、このプレート状の埋め込み部12には、その板面を貫通するピン係止孔21を複数形成して、このピン係止孔21にドリフトピン６を挿通係止し得るようにしている。
【００７６】
また、このプレート状の埋め込み部12は、一側部を側方へ突出する形状に形成して、この突出部９を木材３Ａの周面部から外方へ突出する連結板部９とし、この連結板部９にボルト通し孔22を貫通形成している。
【００７７】
一方、この柱脚連結金具４Ｄが設けられる柱材３Ａの下端部には、前記プレート状の埋め込み部12が差し込まれる（埋め込まれる）スリット状の埋め込み穴13を形成し、更にこの埋め込み穴13と連通状態にして、柱材３Ａの長さ方向と直交する方向に柱材３Ａを貫通する小径丸孔形状のピン挿通孔25を複数穿設して、この各ピン挿通孔25に柱材３Ａの側方からドリフトピン６を挿通し得るようにしている。
【００７８】
また、この柱脚部連結金具４Ｄの他の木材３Ａ（柱材）への取付構造は、前記埋め込み部12を前記埋め込み穴13に挿入してピン係止孔21をピン挿通孔25と連通させ、この連通するピン係止孔21をピン挿通孔25とに柱材３Ａの側方からドリフトピン６を打ち込んで挿通させると、このピン係止孔21を介して埋め込み部12に交差貫通するドリフトピン６により埋め込み部12が埋め込み穴13に抜け止め係止する（柱脚部連結金具４Ｄが柱材３Ａの下部に固定される）構造としている。そして、この際、埋め込み穴13の側方部位から前記連結板部９が木材３Ａの側方へ突出することになる構成としているもので、突出するこの連結板部９に前記実施例１と同様に前記軸力伝達金具２を連結（摩擦接合）する。
【００７９】
他の構成は、前記実施例１と同様である。
【実施例３】
【００８０】
本発明の具体的な実施例３について図１１〜図１３に基づいて説明する。
【００８１】
本実施例は、建物の屋根部分の真束（他の木材３Ａ）と合掌梁（他の木材３Ａ）との間に、方杖として機能する建築用木材１を連結した場合である。
【００８２】
また、本実施例の連結金具４は、周面部当接プレート14の内側板面に埋め込み部12を一本だけ突設した構成とすると共に、この周面部当接プレート14に、ボルト31Ａやネジ31Ｂなどの固定具31を用いることでこの周面部当接プレート14を前記他の木材３Ａの周面部に固定する固定部30を設けた場合を示している。
【００８３】
具体的には、周面部当接プレート14の例えば四隅部に、ボルト31Ａやネジ31Ｂなどの固定具７を挿通する図示省略の挿通穴を貫通形成して前記固定部30を構成している。
【００８４】
尚、図１２の真束３Ａに設ける連結金具４（縦材連結金具４Ｂ）は、前記固定具31として無頭ボルト31Ａを採用し、この無頭ボルト31Ａを真束３Ａに貫通させ、この無頭ボルト31Ａの両端部を真束３Ａの対向周面に背中合わせに配設した縦材連結金具４Ｂの各周面部当接プレート14の挿通穴に挿通させてナット32止めした場合を示し、図１３の合掌梁３Ａに設ける連結金具４（横材連結金具４Ａ）は、前記固定具31として木ネジ31Ｂを採用した場合を示している。
【００８５】
また、本実施例では、横材連結金具４Ａにも縦材連結金具４Ｂにも、前記補強板24を設けず、更に図１２の縦材連結金具４Ｂは、埋め込み部12にピン係止孔21を設けない場合を示している。
【実施例４】
【００８６】
本発明の具体的な実施例４について図１４，図１５に基づいて説明する。
【００８７】
本実施例は、建物の長尺な横材３Ａ（梁材３Ａ）の中間部に縦材３Ａを垂設し、この縦材３Ｂと梁材３Ａの両端部との間に、補強用トラス材として機能する建築用木材１を連結した場合である。
【００８８】
また、本実施例では、縦材３Ａと建築用木材１の連結に用いる連結金具４は、前記実施例３の縦材連結金具４Ｂと同様の金具を採用し、梁材３Ａと建築用木材１の連結に用いる連結金具４は、前記実施例１の縦材連結金具４Ｂにおいて、連結板部９の一端部付近にだけ前記ボルト孔19（図示省略）に連通させるボルト通し孔22（図示省略）を形成した構成としている（図１５参照。）。
【００８９】
他の構成は前記実施例１と同様である。
【００９０】
尚、本発明は、実施例１〜４に限られるものではなく、各構成要件の具体的構成は適宜設計し得るものである。
【符号の説明】
【００９１】
１  建築用木材
２  軸力伝達金具
３  建築要素
３Ａ  木材
３Ｂ  建築用基礎
４  連結金具
５  ホゾ穴
６  ドリフトピン
７  ホゾ部
８  端部当接プレート
９  連結板部
10  重合連結板部
11  木口
12  埋め込み部
13  埋め込み穴
14  周面部当接プレート
15  挿通孔
16  貫通係止孔
【図１】
2014047599.tif 000003
【図２】
2014047599.tif 000004
【図３】
2014047599.tif 000005
【図４】
2014047599.tif 000006
【図５】
2014047599.tif 000007
【図６】
2014047599.tif 000008
【図７】
2014047599.tif 000009
【図８】
2014047599.tif 000010
【図９】
2014047599.tif 000011
【図１０】
2014047599.tif 000012
【図１１】
2014047599.tif 000013
【図１２】
2014047599.tif 000014
【図１３】
2014047599.tif 000015
【図１４】
2014047599.tif 000016
【図１５】
2014047599.tif 000017